Podtech/llm-jp-corpus-v4-ja_patent huggingface dataset:
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
手持ち型外科用器械であって、
エネルギー貯蔵要素と、
骨に衝撃を与えるように構成された先端部を有する衝撃付与機構と、
前記エネルギー貯蔵要素から前記衝撃付与機構にエネルギーを伝達するように構成された動力伝達機構と、
前記エネルギー貯蔵要素からエネルギーを解放するように構成されたトリガー機構と、を備える、手持ち型外科用器械。
【請求項２】
前記エネルギー貯蔵要素は前記衝撃付与機構に接続されたスプリングである、請求項１に記載の手持ち型外科用器械。
【請求項３】
前記動力伝達機構は、中空シャフトによって案内された半可撓性金属ワイヤを含む、請求項２に記載の手持ち型外科用器械。
【請求項４】
前記中空シャフトは遠位端部を備え、前記半可撓性金属ワイヤは前記遠位端部に向かう屈曲部を含む、請求項３に記載の手持ち型外科用器械。
【請求項５】
前記屈曲部は１４度〜４６度の角度を有する、請求項４に記載の手持ち型外科用器械。
【請求項６】
前記先端部は前記金属ワイヤのテーパー状尖端を含んでいる、請求項５に記載の手持ち型外科用器械。
【請求項７】
前記トリガー機構は、作動すると前記先端部を後退させると同時に、前記エネルギー貯蔵要素をチャージする手動レバーを備える、請求項６に記載の手持ち型外科用器械。
【請求項８】
前記トリガー機構は、作動時に使用者が前記器械へのモーメントを制御および付与することができるように構成されたロック機構を備える、請求項７に記載の手持ち型外科用器械。
【請求項９】
ガイドシャフト内に配置された複数の剛体から構成された伝達機構をさらに備えており、前記伝達機構は、前記衝撃付与機構よりも遠位側で、かつ前記先端部よりも近位側に位置する、請求項１に記載の手持ち型外科用器械。
【請求項１０】
スチールワイヤは熱処理されている、請求項３に記載の手持ち型外科用器械。
【請求項１１】
前記エネルギー貯蔵要素は電池である、請求項１に記載の手持ち型外科用器械。
【請求項１２】
前記スプリングは、前記先端部に骨に対して複数回衝撃を与えるのに充分なエネルギーを蓄えるように構成されている、請求項２に記載の手持ち型外科用器械。
【請求項１３】
前記衝撃付与機構は、前記エネルギー貯蔵要素から前記先端部にエネルギーを伝達するように構成されたキャリッジを備えており、それによって前記エネルギー貯蔵要素からのエネルギーの大部分は前記先端部が骨に衝撃を与える前に該先端部を加速するために用いられ、その結果反跳を低減する、請求項１に記載の手持ち型外科用器械。
【請求項１４】
前記中空シャフトはテーパー状である、請求項３に記載の手持ち型外科用器械。
【請求項１５】
前記中空シャフトは回転可能である、請求項３に記載の手持ち型外科用器械。
【請求項１６】
ワンタイムプリローディングカムをさらに備える、請求項１に記載の手持ち型外科用器械。
【請求項１７】
治療用途のための生物製剤をさらに含む、請求項１に記載の手持ち型外科用器械。
【請求項１８】
前記先端部が骨を刺通する距離を測定するための深度表示器をさらに備える、請求項１に記載の手持ち型外科用器械。
【請求項１９】
手持ち型外科用器械であって、
エネルギー貯蔵要素であって、衝撃付与機構に接続されたスプリングである、エネルギー貯蔵要素と、
骨に衝撃を与えるように構成された先端部を有する衝撃付与機構であって、前記先端部はテーパー状尖端を備える、衝撃付与機構と、
前記エネルギー貯蔵要素から前記衝撃付与機構にエネルギーを伝達するように構成された動力伝達機構であって、中空シャフトによって案内された半可撓性金属ワイヤを含んでおり、前記中空シャフトは遠位端部を備えており、前記半可撓性金属ワイヤは前記遠位端部に向かう屈曲部を含んでいる、動力伝達機構と、
前記エネルギー貯蔵要素からエネルギーを解放するように構成されたトリガー機構と、を備え、前記屈曲部は１４度〜４６度の角度を有しており、前記トリガー機構は、作動すると前記先端部を後退させると同時に、前記エネルギー貯蔵要素をチャージする手動レバーを備える、手持ち型外科用器械。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
血管内に留置するのに適したステントアセンブリであって、
複数の相互接続されたストラットで形成された内側ステント構造と、
複数の相互接続されたストラットで形成された外側ステント構造であって、前記内側ステント構造は、前記外側ステント構造との間に空間を形成するように前記外側ステント構造内に配置され、前記内側ステント構造および外側ステント構造は集合的に、血液内に適合するサイズおよび形状のステント本体を形成する、外側ステント構造と、
前記内側ステント構造および外側ステント構造にサンドイッチ配置で取り付けられるように、前記内側ステント構造と外側ステント構造との間の前記空間に少なくとも部分的に配置されたメッシュ構造と、を含むステントアセンブリ。
【請求項２】
血管内に留置されたときに、前記内側ステント構造と外側ステント構造との間に生じる正味の力が、前記ステント本体全体を血管壁に向かって押すように、前記内側ステント構造が、前記外側ステント構造よりも高い半径方向外向きの力を発揮する、請求項１に記載のステントアセンブリ。
【請求項３】
前記内側ステント構造の前記ストラットは、前記外側ステント構造の前記ストラットよりも短い、請求項１に記載のステントアセンブリ。
【請求項４】
前記メッシュ構造は形状記憶合金でできている、請求項１に記載のステントアセンブリ。
【請求項５】
前記メッシュ構造は複数の涙滴形の孔を形成し、前記涙滴形の孔の少なくとも２つは、第１の端部に、拡大された曲線状の領域を有し、第２の端部により小さい領域を有し、前記涙滴形の孔の少なくとも２つの拡大された曲線状の領域は互いに接触している、請求項１に記載のステントアセンブリ。
【請求項６】
前記メッシュ構造は裾を含む、請求項１に記載のステントアセンブリ。
【請求項７】
前記裾は、前記内側ステント構造および外側ステント構造の少なくとも１つが少なくとも部分的に配置される空間を規定する、請求項６に記載のステントアセンブリ。
【請求項８】
前記裾は、前記裾の構造に一体的に取り付けられている、請求項６に記載のステントアセンブリ。
【請求項９】
前記裾は、糸によって前記裾の構造に取り付けられている、請求項６に記載のステントアセンブリ。
【請求項１０】
前記メッシュ構造の少なくとも一部はポリマーで形成され、前記ステント構造の一部はニッケルチタンである、請求項１に記載のステントアセンブリ。
【請求項１１】
ステントアセンブリを形成する方法であって、
複数の相互接続されたストラットの内側ステント構造を形成する工程と、
複数の相互接続されたストラットの外側ステント構造を形成する工程と、
前記内側ステント構造を、前記外側ステント構造との間に空間を形成するように、前記外側ステント構造内に配置する工程であって、前記内側ステント構造および外側ステント構造は集合的に、血管内に適合するサイズおよび形状のステント本体を形成する、配置する工程と、
前記内側ステント構造と外側ステント構造との間の前記空間に少なくとも部分的にメッシュ構造を配置する工程と、
前記メッシュ構造を前記内側ステント構造および外側ステント構造に取り付けるために、前記内側ステント構造と外側ステント構造との間の前記空間に前記メッシュ構造をサンドイッチする工程と、を含む方法。
【請求項１２】
前記メッシュ構造に裾を形成する工程をさらに含む、請求項１１に記載の方法。
【請求項１３】
前記内側ステント構造および外側ステント構造のうちの１つの少なくとも一部を前記裾内に配置する工程をさらに含む、請求項１２に記載の方法。
【請求項１４】
前記メッシュ構造に裾を形成する工程は、前記メッシュ構造に裾を取り付けることを含む、請求項１２に記載の方法。
【請求項１５】
前記メッシュ構造に裾を形成する工程は、前記メッシュ構造の一部をそれ自体の上に折り畳むことを含む、請求項１２に記載の方法。
【請求項１６】
前記メッシュ構造内に複数の涙滴形の孔を形成する工程をさらに含む、請求項１１に記載の方法。
【請求項１７】
前記涙滴形の孔は、前記涙滴形の孔の少なくとも２つが第１の端部に拡大した曲線状の領域を有し、且つ第２の端部により小さな領域を有するように配置され、前記涙滴形の孔の少なくとも２つの拡大された曲線状の領域は互いに接触している、請求項１１に記載の方法。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
椎間板にアクセスするためのアクセス装置であって、
ａ）ほぼ管状部分と、切開部から関節突起まで延びるように適合された長さと、近位端部と、遠位端部と、外側表面と、内側表面を画定する長手方向の貫通孔とを有する外側シールドと、
ｂ）ｉ）近位端部と、遠位端部と、内側表面を画定する長手方向の貫通孔と、直径を画定する外側表面とを有する第１のほぼ管状部分と、ｉｉ）前記ほぼ管状部分の前記遠位端部から遠位方向に延びる長手方向のフランジとを有する内側シールドと、を備え、
前記内側シールドの前記外側表面は、前記フランジが前記外側シールドの前記遠位端部を越えて遠位方向に延びるように、前記外側シールドの前記内側表面内にほぼ入れ子状に収まっている、アクセス装置。
【手続補正書】
【提出日】令和3年1月27日(2021.1.27)
【手続補正１】
【補正対象書類名】特許請求の範囲
【補正対象項目名】請求項５
【補正方法】変更
【補正の内容】
【請求項５】
ステータコア；
前記ステータコアに配置されるインシュレータ；および
前記インシュレータに巻線されるコイルを含み、
前記インシュレータは
前記コイルが巻線される本体、
前記本体の内側から突出する内側ガイド、
前記本体の外側から突出する外側ガイド、
前記内側ガイドと前記外側ガイドの間に配置されて前記本体から突出する突出部、および
前記突出部の上部に形成され、前記突出部の内側面に対して傾斜する溝を含む、ステータ。
【手続補正２】
【補正対象書類名】特許請求の範囲
【補正対象項目名】請求項１１
【補正方法】変更
【補正の内容】
【請求項１１】
シャフト；
前記シャフトの外側に配置されるロータ；
前記ロータの外側に配置されるステータ；および
前記ロータと前記ステータを収容するハウジングを含み、
前記ステータは
ステータコア、
前記ステータコアに配置されるインシュレータ、および
前記インシュレータに巻線されるコイルを含み、
前記インシュレータは
前記コイルが巻線される本体、
前記本体の内側から突出する内側ガイド、
前記本体の外側から突出する外側ガイド、
前記本体から突出する突出部、および
前記突出部の上部に形成される溝を含み、
前記溝は、前記突出部の内側面から外側面まで形成され、前記突出部の前記内側面に対して傾斜する、モータ。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
リニア電気機械（ＬＥＭ）（６０）であって
ステータ（１４）であって、ハウジング（２８）内に取り付けられ、前記ハウジングとステータとが作動シリンダ（５３）を画定するステータ（１４）、
前記作動シリンダ（５３）内にある中央コア（３４）であって、前記作動シリンダ（５３）と前記中央コア（３４）との間の円筒状ステータボアキャビティ（５１）を画定する中央コア（３４）、
前記作動シリンダ（５３）内で前記中央コア（３４）に対して軸方向に移動可能である中空のトランスレータ（１８）であって、前記ステータボアキャビティ（５１）内に延び、前記トランスレータ（１８）と前記ステータ（１４）との間に外部磁気回路エアギャップ（２１）を形成するトランスレータ（１８）、
前記ステータボアキャビティ（５１）内で前記トランスレータの同軸位置を提供する、前記中央コア（３４）と前記トランスレータ（１８）との間にある少なくとも１つの撓み部（５２）または軸受
を備え、
前記中央コア（３４）が、前記ステータ（１４）に対して軸方向に固定されている、リニア電気機械（６０）。
【請求項２】
前記撓み部または軸受が流体軸受（３５）である、請求項１に記載のリニア電気機械（６０）。
【請求項３】
前記流体軸受（３５）が、前記トランスレータ（１８）と前記中央コア（３４）との同軸位置を提供する、請求項２に記載のリニア電気機械（６０）。
【請求項４】
前記流体軸受（３５）のうちの少なくとも１つは、前記中央コア（３４）に取り付けられ、前記中空のトランスレータ内部の一部に形成された軸受面に延びる、請求項２または３に記載のリニア電気機械（６０）。
【請求項５】
前記少なくとも１つの流体軸受（３５）が、前記トランスレータ（１８）と前記ステータ（１４）との間の同軸位置、および前記トランスレータ（１８）と前記ステータ（１４）との間にある前記外部磁気回路エアギャップ（２１）を画定する、請求項２から４のいずれか一項に記載のリニア電気機械（６０）。
【請求項６】
前記トランスレータ（１８）に力を加えるための前記作動シリンダ（５３）内の少なくとも１つの作動チャンバ（４２）をさらに備える、請求項１から５のいずれか一項に記載のリニア電気機械（６０）。
【請求項７】
前記作動チャンバ（４２）は、前記ステータボアおよび軸受ギャップと同軸である、請求項６に記載のリニア電気機械（６０）。
【請求項８】
前記作動チャンバ（４２）内の前記トランスレータ（１８）と前記シリンダとの間にラビリンスシール（４６）をさらに備える、請求項４を引用する請求項５を引用する請求項６、または請求項７に記載のリニア電気機械（６０）。
【請求項９】
各作動チャンバ（４２）は、シリンダ壁（１２）、第１の固定端壁（１３）、および第２の端壁によって画定され、その少なくとも一部は前記トランスレータ（１８）と共に移動可能である、請求項６から８のいずれか一項に記載のリニア電気機械（６０）。
【請求項１０】
前記作動チャンバ（４２）の少なくとも１つが燃焼チャンバである、請求項６から９のいずれか一項に記載のリニア電気機械（６０）。
【請求項１１】
前記作動チャンバ（４２）の少なくとも１つが予圧チャンバ（２９）である、請求項６から９のいずれか一項に記載のリニア電気機械（６０）。
【請求項１２】
前記中央コア（３４）が１つ以上のステータ要素を含む、請求項１から１１のいずれか一項に記載のリニア電気機械（６０）。
【請求項１３】
前記トランスレータ（１８）と、前記中央コア（３４）の前記ステータ要素のうちの少なくとも１つとの間に、内部磁気回路エアギャップをさらに備える、請求項１２に記載のリニア電気機械（６０）。
【請求項１４】
前記トランスレータ（１８）に取り付けられた流体軸受（３５）であって、前記ハウジング（２８）の前記内壁の軸受面を延びる流体軸受（３５）をさらに備える、請求項１から１３のいずれか一項に記載のリニア電気機械（６０）。
【請求項１５】
前記ＬＥＭは、移動マグネット型の機械、またはスロットレスステータ型の機械、またはフラックス切換型の機械、またはスイッチドリラクタンス型の機械である、請求項１に記載のリニア電気機械（６０）。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
a) ハンドル;
b) 該ハンドルから遠位に伸長し、遠位端および近位端を有し、かつ長手軸を画定するガイドワイヤカテーテル、ここで該ガイドワイヤカテーテルは、該ハンドルに対して移動可能である；
c) 該ハンドルに固定され、かつ該ハンドルから遠位におよび該ガイドワイヤカテーテルの周囲に伸長する外部カテーテル；
d) 該ガイドワイヤカテーテルと該外部カテーテルの間に伸長し、かつ該ガイドワイヤカテーテルおよび該外部カテーテルに対して長手方向に移動可能である可撓性シース、ここで該可撓性シースは開口を含み、開口の配置により、該可撓性シースが、収縮された半径方向の径(radial diameter)を有する管腔形態を有するようになる；ならびに
e) 開口を該配置と適合させ、それにより該可撓性シースが、管腔形態の収縮された半径方向の径と適合するように形成される、開口を通って伸長する紐、ここで該紐は、開口から近位に引き込み可能であり、それにより該可撓性シースが収縮された半径方向の径から解放される、
を含む、ステントグラフト送達システム。
【請求項２】
該開口が該可撓性シースにより画定される、請求項１記載の送達システム。
【請求項３】
該開口が、少なくとも部分的に該可撓性シースに固定されるループにより画定される、請求項１記載の送達システム。
【請求項４】
該配置が、該ガイドワイヤカテーテルの長手軸に沿った実質的な(substantial)配列を含む、請求項１記載の送達システム。
【請求項５】
該紐が糸であり、該開口が該糸上の張力により整列される、請求項１記載の送達システム。
【請求項６】
該紐がワイヤである、請求項１記載の送達システム。
【請求項７】
該可撓性シースが長手縁を画定し、該長手縁が少なくとも部分的にシームを形成し、該開口が整列される際に該可撓性シースが長手管腔を画定する、請求項１記載の送達システム。
【請求項８】
該長手縁の少なくとも1つがスカラップを有し(scalloped)、該開口の整列の際に、該可撓性シースが可撓性シースの管腔形態中に開窓を画定する、請求項７記載の送達システム。
【請求項９】
該可撓性シースが、開口が整列されない場合に拡張された半径方向の径を有する管腔形態を有し、該拡張された半径方向の径が、開口が整列された場合の該可撓性シースの収縮された半径方向の径よりも大きい、請求項１記載の送達システム。
【請求項１０】
該可撓性シース内にステントグラフトプロテーゼをさらに含む、送達システムであって、該ステントグラフトが、
a) 該ガイドワイヤカテーテルの遠位端にある近位端、遠位端、および該ガイドワイヤカテーテルの周囲に伸長する壁、ならびに
b) 該ステントグラフトの壁に固定されかつ該壁に沿って分布される複数のステント、ここで該ステントグラフトは、該可撓性シースの開口が整列される際に半径方向に収縮される、
を含む、請求項１記載の送達システム。
【請求項１１】
該開口が実質的に整列される際に該可撓性シースが開窓を画定し、該ステントグラフトプロテーゼの壁が、該可撓性シースの開窓と実質的に整列される開窓を画定する、請求項１０記載の送達システム。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
a) 近位開放端および遠位開放端を有する管腔グラフト構成要素；
b) 管腔グラフト構成要素に沿って長手方向に分配される複数のステント、ここで、少なくとも1つのステントは、近位頂部および遠位頂部を画定するように連結される支柱を有する；
c) 少なくとも1つの紐、ここで、それぞれの紐は、少なくとも1つのステントの支柱の少なくとも一部を横切り、該紐は、連結される場合にそれぞれの対応するステントを少なくとも部分的に半径方向に収縮させる末端を含む；ならびに
d) 対応するステントを半径方向に収縮するように連結される場合にそれぞれの関連のある紐の末端に長手方向にまたがる、管腔グラフト構成要素の一組のアンカーループ
を含む、ステントグラフト。
【請求項２】
該紐が、末端が連結される場合に該ステントの周囲の周りに完全に伸長する、請求項１記載のステントグラフト。
【請求項３】
該紐の末端のそれぞれが紐ループを含む、請求項２記載のステントグラフト。
【請求項４】
ワイヤが紐ループを通って、アンカーループのそれぞれの組を通って管腔グラフト構成要素に沿って長手方向に伸長する場合に、該紐の末端が該紐ループで連結されるように、該紐の末端が配置される、請求項３記載のステントグラフト。
【請求項５】
該紐の少なくとも一部が、それぞれ環状であり、該紐が該管腔グラフト構成要素を半径方向に収縮している場合に、直径の反対にある点で、アンカーループを通るワイヤにより連結され得る、請求項１記載のステントグラフト。
【請求項６】
該紐の末端が通過する管腔グラフト構成要素で側方に配置される紐縫合糸をさらに含むステントグラフトであって、該紐縫合糸は、アンカーループを通るワイヤの両側方に位置し、ここで該紐末端は、該紐縫合糸の間でワイヤにより連結される、請求項１記載のステントグラフト。
【請求項７】
末端が連結される場合に、該紐が、周囲の周りに部分的に伸長する2つの紐構成部分を含み、ここで該紐末端が連結される、請求項１記載のステントグラフト。
【請求項８】
該紐末端のそれぞれが紐ループを含む、請求項７記載のステントグラフト。
【請求項９】
該紐の2つの構成部分が、それぞれ管腔グラフト構成要素に固定される、請求項８記載のステントグラフト。
【請求項１０】
該紐のそれぞれの構成部分の紐ループに対して反対にある末端で、支柱に固定される紐の2つの構成部分をさらに含む、請求項８記載のステントグラフト。
【請求項１１】
紐の末端が通過する管腔グラフト構成要素で側方に配置される紐縫合糸をさらに含むステントグラフトであって、該紐縫合糸が、ワイヤの両側に位置してアンカーループを通過しており、ここで該紐末端が、該紐縫合糸の間でワイヤにより連結され得る、請求項１０記載のステントグラフト。
【請求項１２】
該2つの構成部分がそれぞれ、該紐のもう一方の構成部分の環状の糸に連結される環状の糸の点と直径の反対にある点で、管腔グラフト構成要素または関連のあるステントの支柱に固定される環状の糸である、請求項７記載のステントグラフト。
【請求項１３】
該ステントの少なくとも一部が形状記憶合金を含み、該形状記憶合金がニチノールを含む、請求項１記載のステントグラフト。
【請求項１４】
a)  i) 近位開放端および遠位開放端を有し、管腔を画定する管腔グラフト構成要素、
ii) 管腔グラフト構成要素に沿って長手方向に分配される複数のステント、ここで、少なくとも1つのステントは近位頂部および遠位頂部を画定するように連結される支柱を有する、
iii) 支柱の少なくとも一部を横切る少なくとも1つの紐、ここで、該紐は、連結される場合に該ステントを少なくとも部分的に半径方向に収縮させる末端を含む；ならびに
iv) 対応するステントを半径方向に収縮するように連結される場合にそれぞれの関連のある紐の末端に長手方向にまたがる、管腔グラフト構成要素にある一組のアンカーループ
を含む、ステントグラフト、
b) 管腔グラフト構成要素に沿ってかつ該アンカーループを通って長手方向に伸長し、該紐の末端を連結し、それにより、該ステントグラフトのステントの少なくとも一部を半径方向に収縮させるワイヤ、ここで少なくとも1つの紐の末端からの該ワイヤの引き込みは、少なくとも1つの紐による半径方向の収縮からステントグラフトを解放する、
を含む、ステントグラフト送達システム。
【請求項１５】
a) 近位開放端および遠位開放端を有する管腔グラフト構成要素；
b) 管腔グラフト構成要素に沿って長手方向に分配される複数のステント、ここで、少なくとも1つのステントは、近位頂部および遠位頂部を画定するように連結される支柱を有する；ならびに
c) 少なくとも1つの紐、ここで、それぞれの紐は、少なくとも1つのステントの支柱を横切り、該紐は、連結される場合に、それぞれの対応するステントを少なくとも部分的に半径方向に収縮させる末端を含む、
を含む、ステントグラフト。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
a)  ハンドル;
b)  該ハンドルから遠位に伸長し、かつ遠位端を有するガイドワイヤカテーテル；
c)  近位端および遠位端を有する少なくとも1つの管、ここで該管は、ハンドルから遠位に伸長し、かつガイドワイヤカテーテルと平行に整列される；および
d)  少なくとも1つの管を通って伸長する少なくとも1つのワイヤ、ここでそれぞれのワイヤは、管の遠位端でループとして形成され、かつハンドルで少なくとも1つの近位端を有する、
を含む、ステントグラフト送達システム。
【請求項２】
少なくとも1つの管が、平行に整列される管の第1の組であり、該ワイヤが、2つの管を通って伸長し、ループが、それぞれの各管内に伸長するワイヤの一部を連結する、請求項１記載のステントグラフト送達システム。
【請求項３】
近位端および遠位端を有しかつ管腔を画定するステントグラフトをさらに含むステントグラフト送達システムであって、該ステントグラフトがガイドワイヤカテーテルおよび少なくとも2つの管の周囲に伸長し、該管の遠位端が管腔内にあり、該ワイヤのループがステントグラフトを少なくとも部分的に固定し、送達デバイスの近位端でワイヤを引くことにより、ループの長さの減少および結果的にループでのステントグラフトの半径方向の収縮が生じる、請求項２記載のステントグラフト送達システム。
【請求項４】
該ステントグラフトが、複数のステントおよび管腔グラフト構成要素を含み、該ステントがそれぞれ、管腔グラフト構成要素の周囲に伸長し、かつ管腔グラフト構成要素の長手軸に沿って分布され、該ステントの少なくとも一部が、近位頂部および遠位頂部を画定するように連結される支柱を含む、請求項３記載のステントグラフト送達システム。
【請求項５】
該ステントグラフトがさらに、複数の縫合糸ループを含み、該ワイヤが縫合糸ループを通って伸長し、それによりステントグラフトが固定される、請求項３記載のステントグラフト送達システム。
【請求項６】
該ステントグラフトが、近位端にベアステントを含み、該ベアステントが、ガイドワイヤ管腔の遠位端で固定される、請求項５記載のステントグラフト送達システム。
【請求項７】
2つのワイヤをさらに含むステントグラフト送達システムであって、それぞれのワイヤのループが、互いに対してガイドワイヤ管腔の長手軸に沿って長手方向に整列される、請求項６記載のステントグラフト送達システム。
【請求項８】
該縫合糸が、ステントの支柱の間で入れ子状になり、該縫合糸を通って伸長するワイヤの引き込みが、それぞれのループの半径方向の収縮、および結果的にステントの半径方向の収縮を引き起こす、請求項５記載のステントグラフト送達システム。
【請求項９】
該ワイヤの少なくとも一部のそれぞれが、ステントグラフトにおいて、複数の縫合糸を通って伸長する、請求項８記載のステントグラフト送達システム。
【請求項１０】
複数の縫合糸が、それぞれのステントのそれぞれの近位頂部に対して遠位に入れ子状になる、請求項９記載のステントグラフト送達システム。
【請求項１１】
少なくとも2つのワイヤが、ステントグラフトにおいて、縫合糸を通って伸長する、請求項８記載のステントグラフト送達システム。
【請求項１２】
ワイヤのそれぞれが、ステントグラフトのそれぞれのステントを半径方向に収縮する、請求項１１記載のステントグラフト送達システム。
【請求項１３】
ワイヤのそれぞれが、少なくとも2つの縫合糸を通って伸長し、該縫合糸のそれぞれが、それぞれのステントの近位頂部に対して遠位に入れ子状になる、請求項１２記載のステントグラフト送達システム。
【請求項１４】
該ワイヤが独立して操作可能である、請求項１２記載のステントグラフト送達システム。
【請求項１５】
少なくとも1つのワイヤのそれぞれの近位端の1つでワイヤハンドルをさらに含むステントグラフト送達システムであって、それぞれのワイヤが、それぞれのハンドルの近位の引き込みまたは前進により操作可能である、請求項１２記載のステントグラフト送達システム。
【請求項１６】
複数のワイヤが、近位端でワイヤハンドルに集合的に固定され、ステントグラフトに沿って長手方向にワイヤハンドルを遠位または近位に移動させることで、ワイヤが、ステントグラフトの半径方向の収縮を集合的に増加または減少させる、請求項１５記載のステントグラフト送達システム。
【請求項１７】
該ワイヤの少なくとも一部がそれぞれ独立して、それらの近位端のそれぞれで別個のワイヤハンドルに固定され、ステントグラフトに沿って長手方向にそれぞれのワイヤハンドルを遠位および近位に移動させることで、ワイヤが、少なくとも1つの他のワイヤおよびそれぞれのワイヤハンドルと独立して作動して、それぞれの縫合糸ループでステントグラフトの対応する部分の半径方向の収縮を独立して増加または減少させ、それぞれの各ワイヤループが該縫合糸ループを通り抜ける、請求項１５記載のステントグラフト送達システム。
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
a)  i) 外側表面、内側表面、近位開放端、遠位開放端を有し、管腔を画定する管腔グラフト構成要素、および
ii) 管腔壁に沿って長手方向に伸長する複数のステント
を含む、ステントグラフト；
b) 管腔グラフト構成要素に沿って長手方向に伸長する制御棒；ならびに
c) 該ステントの少なくとも1つを横切り、該制御棒に制御可能かつ解放可能に固定される少なくとも1つの紐、ここで該制御棒での紐の制御は、横切られたステントを半径方向に収縮させる、
を含む、ステントグラフト送達システム。
【請求項２】
a) ステントグラフトの管腔を通って伸長するガイドワイヤカテーテル、ここで該ガイドワイヤカテーテルは近位端および遠位端を有する；
b) 該ガイドワイヤカテーテルの遠位端に固定されるノーズコーン；
c) 該ガイドワイヤカテーテルの近位端にある近位ハンドル；
d) 少なくとも部分的にステントグラフトおよび制御棒を含むイントロデューサーシース、ここで該イントロデューサーシースは近位端および遠位端を有する；ならびに
e) 該イントロデューサーシースの近位開放端での遠位ハンドル
をさらに含む、請求項１記載のステントグラフト送達システム。
【請求項３】
該紐が該制御棒の軸の周りの回転により制御され、該紐が該制御棒の周りに巻きつき、それにより該横切られたステントの収縮を制御する、請求項２記載のステントグラフト送達システム。
【請求項４】
該制御棒が、制御棒の近位端に制御棒ハンドルをさらに含む、請求項３記載のステントグラフト送達システム。
【請求項５】
該制御棒ハンドルが、近位ハンドルまたは遠位ハンドルのいずれかの方に偏り、外科医による制御棒ハンドルの解放により、該制御棒ハンドルが近位ハンドルまたは遠位ハンドルを回転的にロックするようになる、請求項４記載のステントグラフト送達システム。
【請求項６】
該制御棒ハンドルが、近位ハンドルまたは遠位ハンドルのいずれかを、摩擦、締まりばめおよびラチェットをつけることからなる群の少なくとも1つの構成メンバーにより回転的にロックする、請求項５記載のステントグラフト送達システム。
【請求項７】
該制御棒が切れ込みを含み、該紐が該切れ込みを通って伸長し、それにより該紐を該制御棒に対して回転的かつ解放可能に固定する、請求項３記載のステントグラフト送達システム。
【請求項８】
該制御棒が、該制御棒の一部に沿って長手方向に伸長するスロットを画定し、該紐が該スロットを横切り、それにより該紐が、該制御棒に対して回転的かつ解放可能に固定される、請求項３記載のステントグラフト送達システム。
【請求項９】
該制御棒が、管腔棒および該管腔棒内に伸長するワイヤを含み、該管腔棒が、横向きの開口を画定し、ここで該紐が、管腔棒とワイヤの間に伸長し、該管腔棒の回転により、該紐が制御棒の周りに巻きつく、請求項３記載のステントグラフト送達システム。
【請求項１０】
該ワイヤが該管腔棒内から引き込み可能であり、それにより該紐が解放される、請求項９記載のステントグラフト送達システム。
【請求項１１】
該制御棒が、外部開窓を画定する外部管腔棒、外部開窓と整列される内部開窓を画定する内部管腔棒、ならびに内部棒内に伸長し、該制御棒の外部開窓および内部開窓の両方を横切るワイヤを含み、ここで該紐が、外部管腔棒および内部管腔棒の整列された開窓を横切り、該紐は、内部管腔棒および外部管腔棒とワイヤとの間に伸長し、ここで該ステントグラフトは、外部管腔棒に対して内部制御棒を引き込むこと、進めることおよび回転することの少なくとも1つにより収縮され得、内部制御管腔からワイヤを引き込むことにより制御棒から解放され得る、請求項１記載のステントグラフト送達システム。
【請求項１２】
管腔グラフト構成要素が開窓を画定する、請求項１記載のステントグラフト送達システム。
【請求項１３】
該開窓が、該紐により制御されるステントと少なくとも近位または遠位で接する、請求項１２記載のステントグラフト送達システム。
【請求項１４】
該開窓が、該紐により制御されるステントと近位および遠位の両方で接する、請求項１３記載のステントグラフト送達システム。
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
ａ．第１の成分と第２の成分とを備えた融合タンパク質からなり、第１成分および第２成分は、ペプチドリンカーにより結合されており、第１成分は非膜タンパク質であり、第２成分は膜アンカーペプチドまたはタンパク質である、移植用の標的細胞上の人工機能性タンパク質と、
ｂ．リンカーに結合し、前記人工機能性タンパク質の少なくとも１つの成分に対する固有の高親和性を有する、少なくとも１つの小リガンドと、
ｃ．前記リンカーに結合し、前記人工機能性タンパク質の少なくとも１つの成分に前記小リガンドが結合した際の前記標的細胞に関連する、少なくとも１つの薬剤ペイロードと
を備える、
細胞医療用組成物。
【請求項２】
前記薬剤ペイロードは、イメージング剤、細胞毒性薬、遺伝子発現の修飾物質、または、細胞活性の修飾物質から選択される、請求項１に記載の組成物。
【請求項３】
前記細胞活性の修飾物質は、免疫賦活薬、免疫阻害薬、細胞増殖剤、または、細胞分化剤から選択される、請求項２に記載の組成物。
【請求項４】
前記イメージング剤は、蛍光色素ローダミン、フルオレセイン、Ｓ０４５６、放射性同位体キレート造影部分、ＥＣ  ２０キレートヘッド、ＮＯＴＡ、およびＤＯＴＡからなる群から選択される、請求項２に記載の組成物。
【請求項５】
前記細胞毒性薬は、チューブリシン、ＤＭ１、ＤＭ４、およびアウリスタチンからなる群から選択される、請求項２に記載の組成物。
【請求項６】
前記修飾物質は、ダサチニブ、ＭＥＫ１／２阻害薬、ＰＩ３Ｋ阻害薬、ＨＤＡＣ阻害薬、キナーゼ阻害薬、代謝阻害薬、ＧＳＫ３ベータ阻害薬、ＭＡＯ−Ｂ阻害薬、Ｃｄｋ５阻害薬、ＳＨＰ１／２およびＴＣ−ＰＴＰに対するホスファターゼ阻害薬からなる群から選択される、請求項２に記載の組成物。
【請求項７】
前記小リガンドと前記薬剤ペイロードとを連結する前記リンカーは、以下に示す群から選択される物質、該物質の放出リンカー、あるいは該物質の組み合わせからなる、請求項１に記載の組成物。
【化１】
2020508042.tif 000001
【請求項８】
前記人工機能性タンパク質の成分は、葉酸受容体アルファ、葉酸受容体ベータ、ウロキナーゼ受容体、ＦＫ５０６結合タンパク質、ジヒドロ葉酸レダクターゼ、フルオレセインイソチオシアネート に対する単鎖フラグメント可変成分、および、ジニトロフェノールに対する単鎖フラグメント可変部分からなる群から選択される、請求項１に記載の組成物。
【請求項９】
前記小リガンドは、以下に示す群から選択される、請求項１に記載の組成物。
【化２】
2020508042.tif 000002
2020508042.tif 000003
【請求項１０】
前記小リガンドは、ハプテンからなる、請求項１に記載の組成物。
【請求項１１】
第１成分はＦＫＢＰであり、第２成分は、第１成分にグリコシルホスファチジルイノシトールアンカーを付与するペプチドであり、前記小リガンドは、ＦＫ５０６またはこの誘導体である、請求項１に記載の組成物。
【請求項１２】
前記ペプチドリンカーは、ＳＧＧＧＳの少なくとも１つのセグメントである、請求項１に記載の組成物。
【請求項１３】
前記人工機能性タンパク質は、ＳＥＱ  ＩＤ  ＮＯＳ：１−２からなる群、または、ＳＥＱ  ＩＤ  ＮＯＳ：１２−１５からなる群から選択される、請求項１に記載の組成物。
【請求項１４】
前記移植用標的細胞は免疫細胞および／またはキメラ抗原受容体Ｔ細胞である、請求項１に記載の組成物。
【請求項１５】
前記移植用標的細胞は、患者に不足している生化学物質を合成するよう構成された、幹細胞、前駆細胞、または移植細胞である、請求項１に記載の組成物。
【請求項１６】
前記小リガンド複合体は、式Ｉを有する、請求項１に記載の組成物。
【化３】
2020508042.tif 000004
【請求項１７】
前記小リガンドは、蛍光色素、放射性プローブ、内因性遺伝子発現の調節因子、または、導入された導入遺伝子発現の調節因子にさらに結合している、請求項１に記載の組成物。
【請求項１８】
細胞医療効果を調整する方法に使用可能であって、移植のために識別された標的細胞が、該組成物と接触し、前記薬剤ペイロードが前記標的細胞内に放出され、および、前記細胞医療効果を調整するように構成されている、請求項１〜１７のいずれかに記載の組成物。
【請求項１９】
前記薬剤ペイロードは、蛍光色素に結合される、請求項１８に記載の組成物。
【請求項２０】
前記細胞医療機能は、光学誘導手術を提供する、前記標的細胞の増殖を制御する、あるいは、前記標的細胞に細胞毒性を発現させることからなる、請求項１８に記載の組成物。
【請求項２１】
前記標的細胞は、免疫細胞である、請求項１〜１７のいずれかに記載の組成物。
【請求項２２】
前記免疫細胞は、ＣＡＲ  Ｔ細胞である、請求項２１に記載の組成物。
【請求項２３】
前記標的細胞は、癌治療に用いられる、請求項２１に記載の組成物。
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
アンジオポエチン様３（ＡＮＧＰＴＬ３）修飾細胞の集団を産生するための方法であって、細胞に（ａ）ＡＮＧＰＴＬ３ゲノム遺伝子座を標的とするガイドＲＮＡ（ｇＲＮＡ）またはｇＲＮＡをコードする核酸、および（ｂ）ＲＮＡ誘導型エンドヌクレアーゼまたはＲＮＡ誘導型エンドヌクレアーゼをコードする核酸を導入することと、前記ＡＮＧＰＴＬ３遺伝子の修飾を含む細胞の集団を産生することと、を含む、方法。
【請求項２】
前記集団の前記細胞の少なくとも５０％が、前記ＡＮＧＰＴＬ３遺伝子の修飾を含む、請求項１に記載の方法。
【請求項３】
前記集団の前記細胞の５０％〜７０％が、前記ＡＮＧＰＴＬ３遺伝子の修飾を含む、請求項２に記載の方法。
【請求項４】
前記集団の細胞によって分泌されるＡＮＧＰＴＬ３タンパク質が、対照と比較して少なくとも２倍低減される、請求項１〜３のいずれか一項に記載の方法。
【請求項５】
前記集団の細胞によって分泌されるＡＮＧＰＴＬ３タンパク質が、対照と比較して少なくとも５倍低減される、請求項４に記載の方法。
【請求項６】
前記対照が、未修飾細胞の集団および／または前記ＡＮＧＰＴＬ３遺伝子を標的とする前記ｇＲＮＡを受容しなかった細胞の集団である、請求項４または５に記載の方法。
【請求項７】
前記ＲＮＡ誘導型エンドヌクレアーゼが、Ｃａｓ９エンドヌクレアーゼまたはＣｐｆ１エンドヌクレアーゼである、請求項１〜６のいずれか一項に記載の方法。
【請求項８】
前記Ｃａｓ９エンドヌクレアーゼまたはＣｐｆ１エンドヌクレアーゼが、Ｓ．ｐｙｏｇｅｎｅｓ  Ｃａｓ９、Ｓ．ａｕｒｅｕｓ  Ｃａｓ９、Ｎ．ｍｅｎｉｎｇｉｔｉｄｅｓ  Ｃａｓ９、Ｓ．ｔｈｅｒｍｏｐｈｉｌｕｓ  ＣＲＩＳＰＲ１  Ｃａｓ９、Ｓ．ｔｈｅｒｍｏｐｈｉｌｕｓ  ＣＲＩＳＰＲ３  Ｃａｓ９、Ｔ．ｄｅｎｔｉｃｏｌａ  Ｃａｓ９、Ｌ．ｂａｃｔｅｒｉｕｍ  ＮＤ２００６  Ｃｐｆ１、およびＡｃｉｄａｍｉｎｏｃｏｃｃｕｓ  ｓｐ．ＢＶ３Ｌ６  Ｃｐｆ１から選択される、請求項７に記載の方法。
【請求項９】
前記ＲＮＡ誘導型エンドヌクレアーゼが、配列番号１〜配列番号６２０から選択される配列を含む、請求項７または８に記載の方法。
【請求項１０】
前記ＲＮＡ誘導型エンドヌクレアーゼが、Ｃａｓ９エンドヌクレアーゼである、請求項７〜９のいずれか一項に記載の方法。
【請求項１１】
前記ｇＲＮＡが、単一ガイドＲＮＡ（ｓｇＲＮＡ）である、請求項１〜１０のいずれか一項に記載の方法。
【請求項１２】
前記ｇＲＮＡが、前記ＡＮＧＰＴＬ３ゲノム遺伝子座の調節エレメントを標的とする、請求項１〜１１のいずれか一項に記載の方法。
【請求項１３】
前記ｇＲＮＡが、ヒトおよびカニクイザルに対して交差反応性である、請求項１〜１２のいずれか一項に記載の方法。
【請求項１４】
前記ｇＲＮＡが、化学修飾されたｇＲＮＡである、請求項１〜１３のいずれか一項に記載の方法。
【請求項１５】
前記化学修飾されたｇＲＮＡが、前記ｇＲＮＡの３′末端および５′末端にホスホロチオエート化２′−Ｏ−メチルヌクレオチドを含む、請求項１４に記載の方法。
【請求項１６】
前記ｇＲＮＡが、表１−１〜表１−６から選択されたスペーサー配列を含む、請求項１〜１５のいずれか一項に記載の方法：
【表１−１】
2020508056.tif 000001
【表１−２】
2020508056.tif 000002
【表１−３】
2020508056.tif 000003
【表１−４】
2020508056.tif 000004
【表１−５】
2020508056.tif 000005
【表１−６】
2020508056.tif 000006
。
【請求項１７】
前記ｇＲＮＡが、ＣＡＡＡＧＡＣＣＵＵＣＵＣＣＡＧＡＣＣＧ（配列番号１７０７１）、ＧＣＣＡＡＵＧＧＣＣＵＣＣＵＵＣＡＧＵＵ（配列番号１７０６９）、およびＧＧＣＣＵＣＣＵＵＣＡＧＵＵＧＧＧＡＣＡ（配列番号１７０７０）から選択されたスペーサー配列を含む、請求項１〜１６のいずれか一項に記載の方法。
【請求項１８】
前記ｇＲＮＡが、前記スペーサー配列ＧＣＣＡＡＵＧＧＣＣＵＣＣＵＵＣＡＧＵＵ（配列番号１７０６９）を含む、請求項１７に記載の方法。
【請求項１９】
前記ｇＲＮＡおよびＲＮＡ誘導型ヌクレアーゼが、リボ核タンパク質粒子（ＲＮＰ）として配合される、請求項１〜１８のいずれか一項に記載の方法。
【請求項２０】
（ａ）および／または（ｂ）の前記核酸が、ウイルスベクター、任意にアデノ随伴ウイルスベクター上に存在する、請求項１〜１８のいずれか一項に記載の方法。
【請求項２１】
（ａ）の前記ｇＲＮＡもしくは前記ｇＲＮＡをコードする核酸、および／または（ｂ）の前記ＲＮＡ誘導型エンドヌクレアーゼもしくは前記ＲＮＡ誘導型エンドヌクレアーゼをコードする核酸が、リポソームまたは脂質ナノ粒子（ＬＮＰ）中に配合される、請求項１〜２０のいずれか一項に記載の方法。
【請求項２２】
前記細胞が、肝細胞を含む、請求項１〜２１のいずれか一項に記載の方法。
【請求項２３】
前記細胞の集団が、ＡＮＧＰＴＬ３関連の状態を有する対象に存在する、請求項１〜２２のいずれか一項に記載の方法。
【請求項２４】
ＧＣＣＡＡＵＧＧＣＣＵＣＣＵＵＣＡＧＵＵ（配列番号１７０６９）およびＧＧＣＣＵＣＣＵＵＣＡＧＵＵＧＧＧＡＣＡ（配列番号１７０７０）から選択されたスペーサー配列を含む、交差反応性ガイドＲＮＡ（ｇＲＮＡ）または交差反応性ｇＲＮＡをコードする核酸。
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
少なくとも１つの目的のタンパク質（ＰＯＩ）、少なくとも１つのエキソソーム選別ドメインであって、エキソソームタンパク質、エキソソームポリペプチド、または任意の領域、ドメイン、および／もしくはこれらの組合せである、エキソソーム選別ドメイン、ならびに少なくとも１つのホモ多量体化ドメインを含む融合ポリペプチド。
【請求項２】
前記ホモ多量体化ドメインが、ホモ二量体化ドメイン、ホモ三量体化ドメイン、ホモ四量体化ドメイン、または任意のより高次のホモ多量体化ドメインである、請求項１に記載の融合ポリペプチド。
【請求項３】
前記エキソソーム選別ドメインが、ＣＤ９、ＣＤ５３、ＣＤ６３、ＣＤ８１、ＣＤ５４、ＣＤ５０、ＦＬＯＴ１、ＦＬＯＴ２、ＣＤ４９ｄ、ＣＤ７１、ＣＤ１３３、ＣＤ１３８、ＣＤ２３５ａ、トランスフェリン受容体、トランスフェリン受容体エンドソームドメイン、ＡＬＩＸ、シンテニン−１（シンテニン）、シンテニン−２、Ｌａｍｐ２ｂ、ならびにそれらの任意の領域、ドメイン、および／またはこれらの組み合わせを含む群から選択される、請求項１または２に記載の融合ポリペプチド。
【請求項４】
前記ホモ多量体化ドメインが、ロイシンジッパー、フォールドオンドメイン、断片Ｘ、コラーゲンドメイン、２Ｇ１２  ＩｇＧホモ二量体、ミトコンドリア抗ウイルスシグナル伝達タンパク質ＣＡＲＤフィラメント、心臓ホスホランバン膜貫通五量体、副甲状腺ホルモン二量体化ドメイン、グリコホリンＡ膜貫通、ＨＩＶ  Ｇｐ４１三量体化ドメイン、ＨＰＶ４５癌タンパク質Ｅ７Ｃ末端二量体ドメイン、およびそれらの任意の組み合わせを含む群から選択される、請求項１〜３のいずれか一項に記載の融合ポリペプチド。
【請求項５】
前記ＰＯＩが、
ｉ．ｇｐ１３０、ＴＮＦＲ、ＩＬ１７Ｒ、ＩＬ２３Ｒ、ＩＬ１βＲ、ＩＬ６Ｒ、ＣＤ５５、ＩＬ１２Ｒ、ＣＣＲ６、他の任意のデコイ受容体またはデコイ結合剤（ＩＬ１α、ＩＬ１β、ＩＬ６、ＩＬ６−ＩＬＲ複合体、ＩＬ１２、ＩＬ１７、ＩＬ２３、ＴＮＦα、ＭＣＰ−１、ＣＣＬ２０、補体タンパク質（複数可）、アクチビン、もしくはミオスタチンのいずれか１つに結合する）、
ｉｉ．ＲＶＧペプチド、ＶＳＶペプチド、ｐ−セレクチン結合ペプチド、ｅ−セレクチン結合ペプチド、および／または他の任意の標的化ペプチドもしくはタンパク質などの標的化ペプチドもしくはタンパク質、
ｉｉｉ．リソソーム蓄積症の治療のためのタンパク質、の群のうちの少なくとも１つから選択される、請求項１〜４のいずれか一項に記載の融合ポリペプチド。
【請求項６】
前記ＰＯＩが、配列番号４７〜６７および配列番号８７〜８８を含む群から選択される、請求項１〜５のいずれか一項に記載の融合ポリペプチド。
【請求項７】
請求項１〜６のいずれか一項に記載の融合ポリペプチドをコードするポリヌクレオチド構築物。
【請求項８】
請求項１〜６のいずれか一項に記載の融合ポリペプチドおよび／または請求項７に記載のポリヌクレオチドを含む細胞外小胞（ＥＶ）。
【請求項９】
前記ＥＶが、請求項１〜６のいずれか一項に記載の複数の融合ポリペプチドを含む、請求項８に記載のＥＶ。
【請求項１０】
請求項１〜６のいずれか一項に記載の融合ポリペプチド、請求項７に記載のポリヌクレオチド構築物、および／または請求項８または９に記載のＥＶ、を含む、細胞。
【請求項１１】
請求項８または９に記載の複数のＥＶ、および／または請求項１〜６のいずれか一項に記載の融合ポリペプチド、および／または請求項７に記載のポリヌクレオチド構築物、を含む、組成物。
【請求項１２】
請求項８または９に記載の複数のＥＶ、および／または請求項１〜６のいずれか一項に記載の融合ポリペプチド、および／または請求項７に記載のポリヌクレオチド構築物、ならびに薬学的に許容される賦形剤または希釈剤、を含む、薬学的組成物。
【請求項１３】
目的のタンパク質（ＰＯＩ）をＥＶに負荷するための方法であって、
ｉ．請求項７に記載の融合ポリヌクレオチド構築物を提供するステップと、
ｉｉ．ＥＶ産生細胞において前記融合構築物を発現させるステップと、を含む、方法。
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
軽鎖可変領域及び重鎖可変領域を含むＣ−Ｘ−Ｃモチーフケモカイン受容体２（ＣＸＣＲ２）抗体であって、
軽鎖可変領域が、
配列番号１に記載のＣＤＲ  Ｌ１、配列番号２に記載のＣＤＲ  Ｌ２及び配列番号３に記載のＣＤＲ  Ｌ３を含み、
重鎖可変領域が、
配列番号４に記載のＣＤＲ  Ｈ１、配列番号５に記載のＣＤＲ  Ｈ２及び配列番号６に記載のＣＤＲ  Ｈ３を含む、ＣＸＣＲ２抗体。
【請求項２】
軽鎖可変領域及び重鎖可変領域を含むＣ−Ｘ−Ｃモチーフケモカイン受容体２（ＣＸＣＲ２）抗体であって、
軽鎖可変領域が、
配列番号１１に記載のＣＤＲ  Ｌ１、配列番号１２に記載のＣＤＲ  Ｌ２及び配列番号１３に記載のＣＤＲ  Ｌ３を含み、
重鎖可変領域が、
配列番号１４に記載のＣＤＲ  Ｈ１、配列番号１５に記載のＣＤＲ  Ｈ２及び配列番号１６に記載のＣＤＲ  Ｈ３を含む、ＣＸＣＲ２抗体。
【請求項３】
軽鎖可変領域及び重鎖可変領域を含むＣ−Ｘ−Ｃモチーフケモカイン受容体２（ＣＸＣＲ２）抗体であって、
軽鎖可変領域が、
配列番号２１に記載のＣＤＲ  Ｌ１、配列番号２２に記載のＣＤＲ  Ｌ２及び配列番号２３に記載のＣＤＲ  Ｌ３を含み、
重鎖可変領域が、
配列番号２４に記載のＣＤＲ  Ｈ１、配列番号２５に記載のＣＤＲ  Ｈ２及び配列番号２６に記載のＣＤＲ  Ｈ３を含む、ＣＸＣＲ２抗体。
【請求項４】
軽鎖可変領域及び重鎖可変領域を含むＣ−Ｘ−Ｃモチーフケモカイン受容体２（ＣＸＣＲ２）抗体であって、
軽鎖可変領域が、
配列番号１に記載のＣＤＲ  Ｌ１、配列番号２に記載のＣＤＲ  Ｌ２及び配列番号３に記載のＣＤＲ  Ｌ３を含み、
重鎖可変領域が、
配列番号５８に記載のＣＤＲ  Ｈ１、配列番号５に記載のＣＤＲ  Ｈ２及び配列番号６に記載のＣＤＲ  Ｈ３を含む、ＣＸＣＲ２抗体。
【請求項５】
軽鎖可変領域が、以下を含む、請求項１〜４のいずれか一項に記載のＣＸＣＲ２抗体：
カバット位置１に対応する位置にＶａｌ若しくはＡｓｐ、
カバット位置２に対応する位置にＩｌｅ、Ｖａｌ若しくはＡｌａ、
カバット位置７に対応する位置にＴｈｒ、Ａｌａ若しくはＳｅｒ、
カバット位置１４に対応する位置にＳｅｒ若しくはＴｈｒ、
カバット位置１５に対応する位置にＬｅｕ若しくはＰｒｏ、
カバット位置１７に対応する位置にＡｓｐ若しくはＧｌｕ、
カバット位置１８に対応する位置にＧｌｎ若しくはＰｒｏ、
カバット位置４５に対応する位置にＬｙｓ若しくはＧｌｎ、
カバット位置４７に対応する位置にＧｌｕ若しくはＧｌｎ、
カバット位置６７に対応する位置にＳｅｒ若しくはＡｌａ、
カバット位置８３に対応する位置にＬｅｕ若しくはＶａｌ、又は
カバット位置１００に対応する位置にＧｌｙ若しくはＧｌｎ。
【請求項６】
重鎖可変領域が、以下を含む、請求項１〜４のいずれか一項に記載のＣＸＣＲ２抗体：
カバット位置５に対応する位置にＧｌｎ若しくはＶａｌ、
カバット位置９に対応する位置にＰｒｏ若しくはＡｌａ、
カバット位置１１に対応する位置にＬｅｕ若しくはＶａｌ、
カバット位置１２に対応する位置にＶａｌ若しくはＬｙｓ、
カバット位置２０に対応する位置にＩｌｅ若しくはＶａｌ、
カバット位置３８に対応する位置にＬｙｓ若しくはＡｒｇ、
カバット位置４０に対応する位置にＡｒｇ若しくはＡｌａ、
カバット位置４３に対応する位置にＬｙｓ若しくはＧｌｎ、
カバット位置４４に対応する位置にＬｙｓ若しくはＡｒｇ、
カバット位置７５に対応する位置にＳｅｒ若しくはＡｌａ、
カバット位置８１に対応する位置にＧｌｎ若しくはＧｌｕ、
カバット位置８３に対応する位置にＴｈｒ若しくはＡｒｇ、又は
カバット位置８７に対応する位置にＳｅｒ若しくはＴｈｒ。
【請求項７】
治療有効量の請求項１〜４のいずれか一項に記載のＣＸＣＲ２抗体と、薬学的に許容される賦形剤とを含む医薬組成物。
【請求項８】
炎症性疾患又はがんの治療を必要とする対象の炎症性疾患又はがんを治療する方法であって、対象に治療有効量の請求項１〜４のいずれか一項に記載のＣＸＣＲ２抗体を投与することを含み、それにより、対象の炎症性疾患又はがんを治療する方法。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
回転可能なブラシであって、前記回転可能なブラシからの光を分散させるための光分散機構を有する、回転可能なブラシと、
透明なスクリーンであって、前記透明なスクリーンを通して、ユーザが前記回転可能なブラシを見ることができる、透明なスクリーンと、
前記回転可能なブラシを回転させるための、駆動ユニットと、
を有する回転可能なブラシにおいて、
前記回転可能なブラシの回転速度を測定するためのセンサと、
前記回転可能なブラシの回転速度に依存して前記回転可能なブラシから分散させられる光を制御するためのコントローラと、
を有することを特徴とする、電気掃除機ノズル。
【請求項２】
前記光分散機構は、前記回転可能なブラシＢ上の複数の照明位置を含む、請求項１に記載の電気掃除機ノズル。
【請求項３】
前記光分散機構は、前記回転可能なブラシＢの表面に分散させられた複数の光源を含む、請求項２に記載の電気掃除機ノズル。
【請求項４】
前記光分散機構は、前記回転可能なブラシ内の導光部を含み、前記導光部から、前記複数の照明位置において光が出る、請求項２に記載の電気掃除機ノズル。
【請求項５】
前記導光部に光を供給するための光源を更に有する、請求項４に記載の電気掃除機ノズル。
【請求項６】
前記光分散機構は、前記照明位置において複数のミラーを含む、請求項２に記載の電気掃除機ノズル。
【請求項７】
前記回転可能なブラシの回転速度を測定するためのセンサは、前記回転可能なブラシの回転位置を測定するためのセンサを有する、請求項１乃至６のいずれか一項に記載の電気掃除機ノズル。
【請求項８】
埃センサを更に有し、前記コントローラは、前記埃に依存して前記回転可能なブラシから分散させられる光を制御するよう更に構成された、請求項１乃至６のいずれか一項に記載の電気掃除機ノズル。
【請求項９】
請求項１乃至８のいずれか一項に記載の電気掃除機ノズルと、埃を集めるための埃収集ユニットと、を有する電気掃除機。